(57)【要約】【課題】  後身頃の幅方向両側縁部に、少なくとも左右一対のファスニングテープを備えたテープ止めタイプの吸収性物品において、ファスニングテープの取り外しが容易である吸収性物品を提供することができる。【解決手段】  後身頃の幅方向両側縁部に配置された少なくとも一対のサイドフラップと、各サイドフラップの側縁部から延在し、締結手段を有するファスニングテープと、前身頃のバックシート表面に設けられたターゲットテープと、を備え、各サイドフラップは、ファスニングテープとの境界近傍に、ターゲットテープから剥がされるときに指が掛けられる指掛け部を有する吸収性物品。【選択図】  図１
2017012268.tif 000002
【特許請求の範囲】
【請求項１】
吸収性物品であって、
前身頃と、後身頃と、前記前身頃と前記後身頃の間に位置する股下部とに区分され、
液透過性のトップシートと、
液不透過性のバックシートと、
前記トップシートと前記バックシートとの間に配置された吸収体と、
前記後身頃の幅方向両側縁部に配置された少なくとも一対のサイドフラップと、
各サイドフラップの側縁部から延在し、前記前身頃と前記後身頃を締結する面ファスナーを構成する一方の部材で形成された締結手段を有するファスニングテープと、
前記前身頃の前記バックシート表面に設けられ、前記面ファスナーを構成する他方の部材で形成されたターゲットテープと、を備え、
各サイドフラップは、前記ファスニングテープとの境界近傍に、前記ターゲットテープから剥がされるときに指が掛けられる指掛け部を有することを特徴とする吸収性物品。
【請求項２】
前記ファスニングテープが第１ファスニングテープと、前記第１ファスニングテープから前記股下部の側に離間して設けられた第２ファスニングテープとを含み、
前記サイドフラップが、前記第１ファスニングテープ及び前記第２ファスニングテープの少なくとも１つに対応する位置に前記指掛け部を有することを特徴とする請求項１に記載の吸収性物品。
【請求項３】
前記指掛け部が前記締結手段の前記後身頃側の端部から幅方向に沿った直線の延長線の内側に有することを特徴とする請求項１または２に記載の吸収性物品。
【請求項４】
前記指掛け部が幅方向に直線状のスリットであることを特徴とする請求項１から３のいずれか１項に記載の吸収性物品。
【請求項５】
前記指掛け部が幅方向に長い楕円状の穴であることを特徴とする請求項１から３のいずれか１項に記載の吸収性物品。
【発明の詳細な説明】
【技術分野】
【０００１】
本発明は、吸収性物品、特にテープ止めタイプの吸収性物品に関する。
【背景技術】
【０００２】
一般的に、大人用紙おむつ等の吸収性物品には、テープ止めタイプ、パンツタイプ、尿取りパッド等があり、対象者の排泄における介護の必要度に応じて、適宜選択されている。特に、テープ止めタイプの吸収性物品は、日常的に寝て過ごす時間が多く、また、自分ではトイレで排泄ができない、といった、主として重度介護用のための製品として使用されている。通常、テープ止めタイプの吸収性物品は、後身頃の左右両側縁部に、少なくとも一対のファスニングテープと、前身頃にこのファスニングテープを着脱自在に止着できるフロンタルパッチ等の締結手段とを有しており、着用者の腰周りでファスニングテープを締結手段に止着させて、着用者に装着させることとなる。
【０００３】
テープ止めタイプの吸収性物品では、それ自体を単独で使用する場合と、テープ止めタイプの吸収性物品の内側に尿取りパッドを入れて併用する場合があるが、後者の尿取りパッドとの併用が大部分である。これは、安価な尿取りパッドを排泄後に取り換えるだけで済み、経済的に使用できるからである。テープ止めタイプの吸収性物品と尿取りパッドとを併用した場合、尿取りパッドを取り換える際には、いったんファスニングテープを取り外し、吸収性物品を開いてからでなければならない。ファスニングテープを取り外すためには、ファスニングテープの先端部の摘み部分をつまんで、吸収性物品に対して垂直方向に持ち上げながら引っ張る必要がある。漏れないようにしっかりと止着されたファスニングテープに対するこれらの動作は、介護者にとっては作業負荷が高く、着脱が容易であるとはいえないものとなっている。したがって、テープ止めタイプの吸収性物品は、被介護者（着用者）にとっては、吸収性物品外への漏れを防止し、体型や体勢に応じてフィットし、快適に着用できること、また、介護者にとっては、上記の漏れ防止とともに、着脱が容易であることが望まれている。
【０００４】
ところで、成人用のテープ止めタイプの吸収性物品の場合、ファスニングテープは、着用者の体型に対応させるために、左右の両側縁部に２箇所ずつ、合計４箇所（２対）設けるのが一般的となっている。これに伴い、その操作性やフィット性を向上させた吸収性物品が提案されている。例えば、特許文献１には、後身頃のサイドフラップの側縁部には少なくとも２個のファスニングテープが配置されており、ファスニングテープの各々には前身頃と後身頃を締結するための締結手段が形成されており、さらに、ファスニングテープの各々には締結手段を形成した面とは反対側の面に上記締結手段を着脱可能に固定するためのターゲットゾーンが形成されていることにより、各ファスニングテープが重ね張りできる使いすておむつが開示されている。
【０００５】
特許文献２には、後身頃又は前身頃のいずれか一方には、左右の側方部のそれぞれに、少なくとも左右一対のファスニングテープが取り付けられ、ファスニングテープを、後身頃又は前身頃の他方に止め付けることにより、着用者の身体に装着されるテープ型使い捨ておむつにおいて、ファスニングテープは、左右の側方部に接合された基端部と、おむつの幅方向外側に向かって、基端部から延出した延出部と、を有し、股下部側の下縁辺及び当該下縁辺とは反対側の上縁辺の少なくともいずれか一方には、基端部と延出部の境界を含む位置に、切欠き部が形成されているテープ型使い捨ておむつが開示されている。
【先行技術文献】
【特許文献】
【０００６】
【特許文献１】特開２００４−２０１８９４号公報
【特許文献２】特開２０１４−１０４３１２号公報
【０００７】
しかし、このようなテープ止めタイプの吸収性物品は、ファスニングテープが一層しっかりと締結できるようになったため、ファスニングテープの取り外しに時間が掛かったり、力が必要だったりして、吸収性物品を外すことがかえって困難になっていた。
【発明の概要】
【発明が解決しようとする課題】
【０００８】
本発明は、後身頃の幅方向両側側縁部に、少なくとも左右一対のファスニングテープを備えたテープ止めタイプの吸収性物品において、ファスニングテープの取り外しが容易である吸収性物品を提供することを目的とする。
【課題を解決するための手段】
【０００９】
（１）本願発明に係る１つの態様は、吸収性物品であって、前身頃と、後身頃と、上記前身頃と上記後身頃の間に位置する股下部とに区分され、液透過性のトップシートと、液不透過性のバックシートと、上記トップシートと上記バックシートとの間に配置された吸収体と、上記後身頃の幅方向両側縁部に配置された少なくとも一対のサイドフラップと、各サイドフラップの側縁部から延在し、上記前身頃と上記後身頃を締結する面ファスナーを構成する一方の部材で形成された締結手段を有するファスニングテープと、上記前身頃の上記バックシート表面に設けられ、上記面ファスナーを構成する他方の部材で形成されたターゲットテープと、を備え、各サイドフラップは、上記ファスニングテープとの境界近傍に、上記ターゲットテープから剥がされるときに指が掛けられる指掛け部を有することを特徴とする。
（２）上記（１）に記載の吸収性物品において、上記ファスニングテープが第１ファスニングテープと、上記第１ファスニングテープから上記股下部の側に離間して設けられた第２ファスニングテープとを含み、上記サイドフラップが、上記第１ファスニングテープ及び上記第２ファスニングテープの少なくとも１つに対応する位置に上記指掛け部を有してもよい。
（３）上記（１）または（２）に記載の吸収性物品において、上記指掛け部が上記締結手段の上記後身頃側の端部から幅方向に沿った直線の延長線の内側に有してもよい。
（４）上記（１）〜（３）のいずれかに記載の吸収性物品において、上記指掛け部が幅方向に直線状のスリットであってもよい。
（５）上記（１）〜（３）のいずれかに記載の吸収性物品において、上記指掛け部が幅方向に長い楕円状の穴であってもよい。
【発明の効果】
【００１０】
本発明は、後身頃の幅方向両側縁部に、少なくとも左右一対のファスニングテープを備えたテープ止めタイプの吸収性物品において、ファスニングテープの取り外しが容易である吸収性物品を提供することができるものである。
【図面の簡単な説明】
【００１１】
【図１】本発明の一実施形態に係る吸収性物品を示す展開図であり、トップシート側から見たものである。
【図２】図１のＡ−Ａ線における断面図である。
【図３】本発明の一実施形態に係る吸収性物品の斜視図である。
【図４】指掛け部近傍の平面図である。
【図５】図５（ａ）は、本発明の一実施形態に係る吸収性物品を着用した説明図である。図５（ｂ）は、指掛け部に指を掛けてファスニングテープを取り外す動作図である。
【発明を実施するための形態】
【００１２】
図１から図５を参照して、本発明の実施形態に係る吸収性物品について詳細に説明する。なお、実施形態の説明は、全体を通して同じ要素には同じ番号を付している。本明細書の説明において、吸収性物品１の着用時とは、吸収性物品１の着用時及び着用後の少なくとも一方をいう。また、吸収性物品１の長手方向とは、吸収性物品１が着用されたときに、前身頃１０Ａと後身頃１０Ｃを結ぶ、着用者の前後にわたる方向であり、図中、符号Ｙで示す方向である。吸収性物品の幅方向とは、長手方向に対して横又は直交する方向であり、図中、符号Ｘで示す方向である。さらに、肌当接面とは、吸収体等の各部材の表裏両面のうち、着用時に着用者の肌側に配される面であり、非肌当接面とは、バックシート等の各部材の表裏両面のうち、着用時に着用者の肌側とは反対側に向けられる面である。また、体液とは、尿、血液や軟便中の水分等の体内から体外に排出された液体をいう。さらに、吸収性物品としては、幼児又は成人用を問わず、テープ止めタイプの使い捨ておむつ、テープ止めタイプの生理用品等であってもよい。
【００１３】
図１は、本発明の一実施形態に係る吸収性物品１を示す展開図であり、トップシート２１側から見たものである。図２は、図１のＡ−Ａ線における断面図である。図３は、本発明の一実施形態に係る吸収性物品１の斜視図である。図１及び図３に示すように、吸収性物品１は、着用時に着用者の腹部を覆う前身頃１０Ａ、着用者の背部を覆う後身頃１０Ｃと、前身頃と後身頃の間に位置し、着用者の股下にあてがわれる股下部１０Ｂとに区分される。
【００１４】
また、図１〜図３に示すように、吸収性物品１は、肌当接面側に配された液透過性のトップシート２１、トップシート２１に対向して配置された液不透過性のバックシート２３、トップシート２１とバックシート２３との間に配置され、体液を吸収する吸収体２２を備えた構成となっている。
【００１５】
トップシート２１は、体液が吸収体２２へと移動するような液透過性を備えた基材を用いればよく、例えば、サーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２１は、液透過性を向上させるために、表面にエンボス加工や穿孔加工を施すことが好ましい。その加工方法は、公知の方法を制限なく行うことができる。また、肌への刺激を低減させるために、トップシート２１に、ローション、酸化防止剤、抗炎症成分、ｐＨ調整剤、抗菌剤、保湿剤等を含有させることも好ましい。さらに、強度および加工性の点から、トップシート２１の坪量は、１４ｇ／ｍ２以上４０ｇ／ｍ２以下であることが好ましい。トップシート２１の形状としては、特に制限はないが、体液を漏れがないように吸収体２２へと誘導するため、吸収体２２を覆う形状であればよい。
【００１６】
吸収体２２は、体液を吸収、保持するものであり、例えば、フラップパルプや高吸収性樹脂（Ｓｕｐｅｒ  Ａｂｓｏｒｂｅｎｔ  Ｐｏｌｙｍｅｒ；ＳＡＰ）を含有している。吸収体２２の基材は、一般に生理用ナプキンやおむつ、尿パッド等の吸収性物品に使用されるものであれば特に制限はなく、例えば、フラッフパルプ、コットン、レーヨン、アセテート、ティシュ、吸収紙、親水性不織布といった材料から形成される。この中で、吸収性の観点から、フラッフパルプが好ましい。かかるフラッフパルプとしては、木材パルプ及び合成繊維、ポリマー繊維等や非木材パルプを綿状に解繊したものをあげることができるまた、吸収性能および肌触りを損なわないよう、吸収体２２の基材の坪量を１００ｇ／ｍ２以上８００ｇ／ｍ２以下とすることが好ましい。
【００１７】
吸収体２２のＳＡＰは、体液を吸収し、かつ、逆流を防止できるものであれば特に制限はなく、例えば、ポリアクリル酸ナトリウム系、ポリアスパラギン酸塩系、(デンプン−アクリル酸)グラフト共重合体、（アクリル酸−ビニルアルコール)共重合体、（イソブチレン−無水マレイン酸）共重合体及びそのケン化物、といった材料から形成される。この中で、重量当たりの吸収量の観点から、ポリアクリル酸ナトリウム系が好ましい。また、吸収性能および肌触りを損なわないよう、吸収体２２のＳＡＰは、５０ｇ／ｍ２以上５００ｇ／ｍ２以下の坪量とすることが好ましい。
【００１８】
吸収体２２は、基材とＳＡＰを含有するものが好ましく、その構成は、基材中にＳＡＰ粒子を混合して形成したもの、あるいは、基材間にＳＡＰ粒子を固着したＳＡＰシートが好ましい。また、ＳＡＰ粒子の漏洩防止や吸収体２２の形状を安定させるために、吸収体２２をキャリアシートに包むことが好ましい。キャリアシートの基材としては、親水性を有するものであればよく、ティシュ、吸収紙、エアレイド不織布等の親水性不織布をあげることができる。キャリアシートを複数備える場合は、キャリアシートの基材は同一のものであっても異なるものであってもよい。
【００１９】
吸収体２２の形状としては、特に制限はなく、例えば、矩形状、砂時計状、Ｉ字状等をあげることができる。また、吸収体２２は、２層以上を重ねたものでもよい。
【００２０】
バックシート２３は、吸収体２２が保持している体液が下着に漏れないような液不透過性を備えた基材を用いればよく、不織布、樹脂フィルム、あるいはこれらを積層した複合シートといった材料から形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。
【００２１】
強度および加工性の点から、バックシート２３の坪量は、１０ｇ／ｍ２以上４０ｇ／ｍ２以下であることが好ましい。また、装着時の蒸れを防止するため、バックシート２３は、通気性を持たせることが好ましい。通気性を備えさせるために、例えば、基材の樹脂フィルムにフィラーを配合することや、バックシート２３にエンボス加工を施すことがあげられる。フィラーとしては、炭酸カルシウムをあげることができ、その加工方法は、公知の方法を制限なく行うことができる。
【００２２】
また、液拡散性シート３１をトップシート２１の非肌当接面側に設けてもよい。体液は、まずトップシート２１を通って、吸収体２２へ順次拡散、吸収する。吸収後、すばやく前後左右に拡散していくのが好ましいため、トップシート２１の下に液拡散性シート３１を設けて拡散を促し、体液を広く吸収体２２に移動させて効率よく吸収させることができる。
【００２３】
液拡散性シート３１は、０．１ｍｍ以上の厚さ及び１８ｇ／ｍ２以上の目付けを有する親水性不織布であり、例えば、ポリプロピレン、ポリエチレン、ポリエステルなどの合成繊維系からなるエアースルー不織布、ポイントボンド不織布、スパンボンド不織布が使用できる。特に、液戻りの防止に優れるエアースルー不織布が好適である。
【００２４】
さらに、図１及び図２に示すように、吸収性物品１は、着用者のフィット性を向上させるために、立体ギャザー用弾性部材３２ａを有する立体ギャザー、レッグギャザー用弾性部材３２ｂを有するレッグギャザー、ウエストギャザー用弾性部材３２ｃを有するウエストギャザーを備えてもよい。レッグギャザー、ウエストギャザーを有することにより、吸収性物品１の脚部開口部、胴部に伸縮性を持たせて、着用時のフィット感を高めて体液が外部に漏れ出ることを防止し、立体ギャザーにより横漏れを防止する。
【００２５】
吸収性物品１の後身頃１０Ｃの幅方向両側縁部には、少なくとも一対のサイドフラップ２４が配置されている。そして、各サイドフラップ２４の側縁部からは、ファスニングテープ２５が延在している。ファスニングテープ２５は、前身頃１０Ａと後身頃１０Ｃを締結する面ファスナーを構成する一方の部材で形成された締結手段３０を有している。一方、前身頃１０Ａのバックシート２３表面には、面ファスナーを構成する他方の部材で形成されたターゲットテープ２６が設けられている。ここで、面ファスナーを構成する部材とは、フック状に起毛されたフック部材と、ループ状に密集して起毛されたループ部材で構成されるものである。吸収性物品１を着用する場合は、後身頃１０Ｃを着用者の背部にあてた状態で、前身頃１０Ａを着用者の腹部側に持っていき、ファスニングテープ２５をターゲットテープ２６に締結することで装着することができる。
【００２６】
サイドフラップ２４の基材としては、ポリエチレン、ポリオレフィン、ポリスチレン等の樹脂フィルムや不織布をあげることができる。これらの基材を単独で、あるいは複数組み合わせて形成しても良い。締結手段３０に使用する面ファスナーを構成する一方の部材としては、フック部材が好ましい。
【００２７】
図４は、吸収性物品１に備えた指掛け部２７近傍の平面図である。図１〜図４に示すように、各サイドフラップ２４には、ファスニングテープ２５との境界近傍に、ターゲットテープ２６から剥がされるときに指が掛けられる指掛け部２７をさらに有している。
【００２８】
図５（ａ）は、本発明の一実施形態に係る吸収性物品１を着用した説明図である。また、図５（ｂ）は、指掛け部２７に指を掛けてファスニングテープ２５を取り外す動作図である。図５（ａ）及び図５（ｂ）に示すように、指掛け部２７は、着用者４１から吸収性物品１を取り外す際に、指掛け部２７から指を差し込み、ファスニングテープ２５の裏側に指を掛け、吸収性物品１に対して垂直方向にファスニングテープ２５を持ち上げて、サイドフラップ２４をターゲットテープ２６から引き剥がすものである。
【００２９】
指掛け部２７の形状は、指を差し込んでファスニングテープ２５の裏側に指を掛けファスニングテープ２５を引っ張ることができる程度の大きさであれば、特に限定はなく、例えば、直線状、Ｚ字状、十字状等のスリット、多角形状、星形多角形状、円形状、楕円形状等の穴があげられる。指掛け部２７の形状が十字状のスリットであると、どの方向からも指を差し込むことができ、吸収性物品１を取り外そうとする介護者と着用者４１の位置を問わずにサイドフラップ２４が外しやすくなる。また、幅方向に直線状のスリットあるいは幅方向に長い楕円状の穴であると、引っ張る力が分散してしまうことを抑制し、サイドフラップ２４が外しやすくなる。
【００３０】
また、ファスニングテープ２５は、第１ファスニングテープ２５ａと、第１ファスニングテープ２５ａから股下部１０Ｂの側に離間して設けられた第２ファスニングテープ２５ｂとを含むことで、着用者が成人であっても着用者の体型に対応させることができる。各サイドフラップ２４の側縁部に対して、ファスニングテープ２５が第１ファスニングテープ２５ａと、第２ファスニングテープ２５ｂの２対、合計４箇所ある場合、指掛け部２７を第１ファスニングテープ２５ａ及び第２ファスニングテープ２５ｂの少なくとも１つに対応する位置に有していてもよい。例えば、第１ファスニングテープ２５ａに対応する位置に形成した第１指掛け部２７ａを利用して、ファスニングテープ２５を取り外す場合、まず、第１指掛け部２７ａに指を差し込み、ファスニングテープ２５の裏側に指を掛ける。次に、吸収性物品１に対して、垂直方向に持ち上げると同時に、股下部１０Ｂ側に引っ張ることで、片側２箇所のファスニングテープ２５を一気に取り外すことができる。他方、第２ファスニングテープ２５ｂに対応する位置に形成した第２指掛け部２７ｂを利用して、ファスニングテープ２５を取り外す場合、まず、第２指掛け部２７ｂに指を差し込み、ファスニングテープ２５の裏側に指を掛ける。次に、吸収性物品１に対して、垂直方向に持ち上げると同時に、後身頃１０Ｃ側に引っ張ることで、片側２箇所のファスニングテープ２５を一気に取り外すことができる。
【００３１】
指掛け部２７の長手方向の位置は、図４に示すように、締結手段３０の後身頃１０Ｃ側の端部から幅方向に沿った直線の延長線Ｌ（図４の一点長鎖線）の内側に有していてもよい。この範囲に指掛け部２７が位置することで、締結手段３０に対して力を掛け易くなり、簡単にファスニングテープ２５をターゲットテープ２６から引き剥がすことができる。
できる。
【００３２】
吸収性物品１の製造方法としては、特に限定はなく、従来公知の方法を採用することができ、例えば、トップシート２１とバックシート２３との間に吸収体２２を挟持し、さらに、サイドフラップ２４とファスニングテープ及びターゲットテープ２６、加えて適宜液拡散性シート３１や立体ギャザーを配置した後、トップシート２１とバックシート２３とを一部あるいは全周にわたってホットメルト接着剤やヒートエンボス、超音波エンボス、高周波エンボス等を用いて固定することで、製造することができる。
【００３３】
以上、実施形態を用いて本発明を説明したが、本発明の技術的範囲は上記の実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３４】
１  吸収性物品
１０Ａ  前身頃
１０Ｂ  股下部
１０Ｃ  後身頃
２１  トップシート
２２  吸収体
２３  バックシート
２４  サイドフラップ
２５  ファスニングテープ
２５ａ  第１ファスニングテープ
２５ｂ  第２ファスニングテープ
２７  指掛け部
２７ａ  第１指掛け部
２７ｂ  第２指掛け部
３０  締結手段
Ｌ  延長線
【図１】
2017012268.tif 000003
【図２】
2017012268.tif 000004
【図３】
2017012268.tif 000005
【図４】
2017012268.tif 000006
【図５】
2017012268.tif 000007